(57)【要約】【課題】貯湯式電気温水器からの給湯流量を自由に増大することができる貯湯式電気温水器の配管構造を提供すること。【解決手段】水道の直圧がかかる給水管３を分岐して、一方の分岐管３ａを減圧弁４を介して電気温水器の貯湯槽１に接続するとともに、給水管３を分岐した他方の分岐管３ｂと、貯湯槽１に接続された逆止弁６ａを途中に配した出湯管６とを、給湯管７が接続された混合弁９に接続する。【選択図】　図１
2004116826.tif 000002
【特許請求の範囲】
【請求項１】
水道の直圧がかかる給水管を分岐して、一方の分岐管を減圧弁を介して電気温水器の貯湯槽に接続するとともに、前記給水管を分岐した他方の分岐管と、貯湯槽に接続された逆止弁を途中に配した出湯管とを、給湯管が接続された混合弁に接続したことを特徴とする貯湯式電気温水器の配管構造。
【請求項２】
前記他方の分岐管に流量比率調整弁を配設し、該流量比率調整弁から分岐した分岐管を貯湯槽内に配設した間接熱交換器の入側に接続し、間接熱交換器の出側を前記流量比率調整弁の下流側の前記他方の分岐管に接続したことを特徴とする請求項１記載の貯湯式電気温水器の配管構造。
【請求項３】
水道の直圧がかかる給水管を分岐して、一方の分岐管を減圧弁を介して電気温水器の貯湯槽に接続するとともに、前記給水管を分岐した他方の分岐管に流量比率調整弁を配設し、該流量比率調整弁から分岐した分岐管を貯湯槽内に配設した間接熱交換器の入側に接続し、間接熱交換器の出側を前記流量比率調整弁の下流側の前記他方の分岐管に接続したことを特徴とする貯湯式電気温水器の配管構造。
【発明の詳細な説明】
【０００１】
【発明の属する技術分野】
本発明は、貯湯式電気温水器の配管構造に関し、特に、貯湯式電気温水器からの給湯流量を増大することができる貯湯式電気温水器の配管構造に関するものである。
【０００２】
【従来の技術】
一般的に、貯湯式電気温水器においては、その貯湯槽に、水道の直圧がかかる給水管が接続され、この給水管の圧力を利用して、貯湯槽に貯留されている湯を押し上げ、給湯を行うようにしている。
【０００３】
ところで、従来、貯湯式電気温水器の貯湯槽に給水管を接続する場合、電気温水器の貯湯槽に水道の直圧がかからないようにするために、給水管の最上流側に減圧弁を配設し、この減圧弁を介して接続するようにしていた。
【０００４】
【発明が解決しようとする課題】
しかしながら、このように、給水管の最上流側に減圧弁を配設して、貯湯式電気温水器の貯湯槽に給水管を接続するようにすると、貯湯式電気温水器の配管系の水圧が、減圧弁によって規制されることとなり、貯湯式電気温水器から供給される給湯流量を増大することが困難であるという問題があった。
【０００５】
本発明は、上記従来の貯湯式電気温水器機の有する問題点に鑑み、貯湯式電気温水器からの給湯流量を自由に増大することができる貯湯式電気温水器の配管構造を提供することを目的とする。
【０００６】
【課題を解決するための手段】
上記目的を達成するため、本発明の貯湯式電気温水器の配管構造は、水道の直圧がかかる給水管を分岐して、一方の分岐管を減圧弁を介して電気温水器の貯湯槽に接続するとともに、前記給水管を分岐した他方の分岐管と、貯湯槽に接続された逆止弁を途中に配した出湯管とを、給湯管が接続された混合弁に接続したことを特徴とする。
【０００７】
この貯湯式電気温水器の配管構造は、水道の直圧がかかる給水管を分岐して、一方の分岐管を減圧弁を介して電気温水器の貯湯槽に接続するとともに、前記給水管を分岐した他方の分岐管と、貯湯槽に接続された逆止弁を途中に配した出湯管とを、給湯管が接続された混合弁に接続するようにしているので、電気温水器の貯湯槽に給水管から水道の直圧がかからないようにしながら、貯湯式電気温水器の配管系の水圧を高めることができ、貯湯式電気温水器からの給湯流量を自由に増大することができる。
【０００８】
この場合において、前記他方の分岐管に流量比率調整弁を配設し、該流量比率調整弁から分岐した分岐管を貯湯槽内に配設した間接熱交換器の入側に接続し、間接熱交換器の出側を前記流量比率調整弁の下流側の前記他方の分岐管に接続するようにすることができる。
【０００９】
これにより、水道の直圧をかけることができる貯湯槽内に配設した間接熱交換器において給水管からの水を間接加熱することができ、貯湯式電気温水器から高温の湯を供給することができる。
【００１０】
また、同じ目的を達成するため、本発明の貯湯式電気温水器の配管構造は、水道の直圧がかかる給水管を分岐して、一方の分岐管を減圧弁を介して電気温水器の貯湯槽に接続するとともに、前記給水管を分岐した他方の分岐管に流量比率調整弁を配設し、該流量比率調整弁から分岐した分岐管を貯湯槽内に配設した間接熱交換器の入側に接続し、間接熱交換器の出側を前記流量比率調整弁の下流側の前記他方の分岐管に接続したことを特徴とする。
【００１１】
この貯湯式電気温水器の配管構造は、水道の直圧がかかる給水管を分岐して、一方の分岐管を減圧弁を介して電気温水器の貯湯槽に接続するとともに、前記給水管を分岐した他方の分岐管に流量比率調整弁を配設し、該流量比率調整弁から分岐した分岐管を貯湯槽内に配設した間接熱交換器の入側に接続し、間接熱交換器の出側を前記流量比率調整弁の下流側の前記他方の分岐管に接続するようにしているので、電気温水器の貯湯槽に給水管から水道の直圧がかからないようにしながら、貯湯式電気温水器の配管系の水圧を高めることができ、貯湯式電気温水器からの給湯流量を自由に増大することができ、また、必要に応じて、高温の湯を供給することもできる。
【００１２】
【発明の実施の形態】
以下、本発明の貯湯式電気温水器の配管構造の実施の形態を図面に基づいて説明する。
【００１３】
図１に、本発明の貯湯式電気温水器の配管構造の第１実施例を示す。
この貯湯式電気温水器の配管構造は、水道の直圧がかかる給水管３を分岐して、一方の分岐管３ａを減圧弁４を介して電気温水器の貯湯槽１に接続するとともに、給水管３を分岐した他方の分岐管３ｂと、貯湯槽１に接続された逆止弁６ａを途中に配した出湯管６とを、給湯管７が接続された混合弁９に接続したものである。
【００１４】
この場合において、貯湯槽１内には、ヒーター２を配設するとともに、貯湯槽１の下部には、排水弁５ａを配設した排水管５を、また、貯湯槽１の上部には、圧力逃がし弁８ａを配設した圧力逃がし管８を、それぞれ接続するようにする。
【００１５】
また、給水管３を分岐した他方の分岐管３ｂにも、必要に応じて、逆止弁３ｃを配設することができる。
【００１６】
この貯湯式電気温水器の配管構造は、電気温水器の貯湯槽１に給水管３から水道の直圧がかからないようにしながら、貯湯式電気温水器の配管系の水圧を高めることができ、貯湯式電気温水器からの給湯流量を自由に増大することができるものとなる。
【００１７】
次に、図２に、本発明の貯湯式電気温水器の配管構造の第２実施例を示す。
【００１８】
この貯湯式電気温水器の配管構造は、上記第１実施例の貯湯式電気温水器の配管構造において、他方の分岐管３ｂに、出側２方向の流量比率を任意に調節できる流量比率調整弁３ｄを配設し、この流量比率調整弁３ｄから分岐した分岐管３ｅを貯湯槽１内に、例えば、水道の直圧をかけることができる螺旋状に配設した配管からなる間接熱交換器１０の入側に接続し、間接熱交換器１０の出側を流量比率調整弁３ｄの下流側の他方の分岐管３ｂに接続するようにしたものである。
【００１９】
この貯湯式電気温水器の配管構造は、上記第１実施例の貯湯式電気温水器の配管構造の有する作用に加え、水道の直圧をかけることができる貯湯槽１内に配設した間接熱交換器１０において給水管３からの水を間接加熱することができ、このため、貯湯式電気温水器から高温の湯を供給することができるものとなる。
【００２０】
次に、図３に、本発明の貯湯式電気温水器の配管構造の第３実施例を示す。
この貯湯式電気温水器の配管構造は、水道の直圧がかかる給水管３を分岐して、一方の分岐管３ａを減圧弁４を介して電気温水器の貯湯槽１に接続するとともに、給水管３を分岐した他方の分岐管３ｂに、出側２方向の流量比率を任意に調節できる流量比率調整弁３ｄを配設し、この流量比率調整弁３ｄから分岐した分岐管３ｅを貯湯槽１内に、例えば、水道の直圧をかけることができる螺旋状に配設した配管からなる間接熱交換器１０の入側に接続し、間接熱交換器１０の出側を流量比率調整弁３ｄの下流側の他方の分岐管３ｂに接続し、さらに、給湯管７に接続したものである。
【００２１】
この場合において、貯湯槽１の上部に接続した出湯管６を、他の系統の給湯管７Ａに接続するようにする。
【００２２】
なお、この貯湯式電気温水器の配管構造のその他の構成は、上記第１実施例の貯湯式電気温水器の配管構造と同様である。
【００２３】
この貯湯式電気温水器の配管構造は、電気温水器の貯湯槽１に給水管３から水道の直圧がかからないようにしながら、貯湯式電気温水器の配管系の水圧を高めることができ、貯湯式電気温水器からの給湯流量を自由に増大することができ、また、貯湯槽１の上部に接続した出湯管６から、他の系統の給湯管７Ａに高温の湯を供給することができるものとなる。
【００２４】
以上、本発明の貯湯式電気温水器の配管構造について、複数の実施例に基づいて説明したが、本発明の貯湯式電気温水器の配管構造は、上記実施例に記載した構成に限定されるものではなく、本発明の貯湯式電気温水器の配管構造の構成は、その趣旨を逸脱しない範囲において適宜に変更することが可能である。
【００２５】
【発明の効果】
請求項１記載の貯湯式電気温水器の配管構造によれば、水道の直圧がかかる給水管を分岐して、一方の分岐管を減圧弁を介して電気温水器の貯湯槽に接続するとともに、前記給水管を分岐した他方の分岐管と、貯湯槽に接続された逆止弁を途中に配した出湯管とを、給湯管が接続された混合弁に接続するようにしているので、電気温水器の貯湯槽に給水管から水道の直圧がかからないようにしながら、貯湯式電気温水器の配管系の水圧を高めることができ、このため、電気温水器の貯湯槽の耐圧を高めることなく、貯湯式電気温水器からの給湯流量を自由に増大することができる。
【００２６】
請求項２記載の貯湯式電気温水器の配管構造によれば、前記他方の分岐管に流量比率調整弁を配設し、該流量比率調整弁から分岐した分岐管を貯湯槽内に配設した間接熱交換器の入側に接続し、間接熱交換器の出側を前記流量比率調整弁の下流側の前記他方の分岐管に接続するようにすることにより、水道の直圧をかけることができる貯湯槽内に配設した間接熱交換器において給水管からの水を間接加熱することができ、貯湯式電気温水器から高温の湯を供給することができる。
【００２７】
請求項３記載の貯湯式電気温水器の配管構造によれば、水道の直圧がかかる給水管を分岐して、一方の分岐管を減圧弁を介して電気温水器の貯湯槽に接続するとともに、前記給水管を分岐した他方の分岐管に流量比率調整弁を配設し、該流量比率調整弁から分岐した分岐管を貯湯槽内に配設した間接熱交換器の入側に接続し、間接熱交換器の出側を前記流量比率調整弁の下流側の前記他方の分岐管に接続するようにしているので、電気温水器の貯湯槽に給水管から水道の直圧がかからないようにしながら、貯湯式電気温水器の配管系の水圧を高めることができ、このため、電気温水器の貯湯槽の耐圧を高めることなく、貯湯式電気温水器からの給湯流量を自由に増大することができ、また、必要に応じて、高温の湯を供給することもできる。
【図面の簡単な説明】
【図１】本発明の貯湯式電気温水器の配管構造の第１実施例を示す構成図である。
【図２】本発明の貯湯式電気温水器の配管構造の第２実施例を示す構成図である。
【図３】本発明の貯湯式電気温水器の配管構造の第３実施例を示す構成図である。
【符号の説明】
１　　貯湯槽
２　　ヒーター
３　　給水管
３ｃ　逆止弁
３ｄ　流量比率調整弁
３ｅ　分岐管
４　　減圧弁
５　　排水管
６　　出湯管
６ａ　逆止弁
７　　給湯管
７Ａ　給湯管
８　　圧力逃がし管
９　　混合弁
１０　間接熱交換器
【図１】
2004116826.tif 000003
【図２】
2004116826.tif 000004
【図３】
2004116826.tif 000005